(57)【特許請求の範囲】
【請求項１】
乗客コンベアの操作盤に設けられた停止スイッチの鍵穴に係合してその停止状態を保持するようにベースに支持した第一鍵と、上記操作盤に設けられた起動スイッチの鍵穴に係合して上記ベースを介して上記第一鍵の状態を保持する第二鍵と、これら両鍵を包囲するように上記ベースに開閉可能に設けたカバーと、このカバーを上記ベースに施錠する施錠装置を設けた保守点検用キーロック装置において、上記起動スイッチと上記停止スイッチとが並ぶ方向に移動可能に設けたスライダー板を介して上記第二鍵を上記ベースへ保持する第二保持装置を設け、上記スライダー板は、上記第二鍵を挿入する溝と、この溝に連設され、上記移動可能な方向に上記第二鍵を傾斜可能にさせる切欠部とを有することを特徴とする保守点検用キーロック装置。
【請求項２】
請求項１記載のものにおいて、上記ベースへ上記第一鍵を回転可能に保持する第一保持装置を設け、この第一保持装置に、上記第一鍵および上記停止スイッチの回転位置を保持する仮止め機構を設けたことを特徴とする保守点検用キーロック装置。
【請求項３】
請求項１記載のものにおいて、上記施錠装置は、所定の位置でその軸方向への移動を許されるように固定リングへ嵌合した軸体と、この固定リングに位置調整可能に係合した番号リングと、この番号リングを暗証番号にして上記所定の位置となったときの上記軸体の移動によって上記ベースと上記カバーとの施錠を解く係止体とを有して構成したことを特徴とする保守点検用キーロック装置。
【発明の詳細な説明】
【０００１】
【発明の属する技術分野】
本発明は、エスカレータなどの機器を保守点検する際に使用する保守点検用キーロック装置に関する。
【０００２】
【従来の技術】
従来の保守点検用キーロック装置は、乗客コンベアの操作装置として特開平３−２３２６８８号公報に示されているように、支持体であるベースと、乗客コンベアの操作盤に設けた停止スイッチの鍵穴に係合可能な停止鍵と、その操作盤に設けた起動スイッチの鍵穴に係合可能な起動鍵とを有し、停止スイッチの鍵穴に係合してその停止状態を保持するようにベースに支持した停止鍵と起動スイッチの鍵穴に係合した起動鍵とを包囲するカバーを、ベースに開閉可能に設けると共に、このカバーをベースに施錠する施錠装置を設けて構成している。この施錠装置はシリンダー鍵機構になっており、カバー外方から施錠装置の鍵穴に第３の鍵を係合し、その第３の鍵を操作することにより、ベースとカバーとの施錠もしくは解錠を行なうようにしており、停止鍵を停止スイッチの鍵穴に挿入した後、ベースを時計方向に４５度回転させて停止スイッチを停止状態とすると共に、その停止スイッチが元の状態に戻るのを防止するために起動鍵を起動スイッチの鍵穴に挿入して回転を防止している。
【０００３】
【発明が解決しようとする課題】
しかしながら、従来の保守点検用キーロック装置は、停止スイッチに挿入する停止鍵と、起動スイッチに挿入する起動鍵および施錠装置に挿入する第３の鍵の３種類の鍵が必要であり、しかも、作業中にその保守点検者以外の人によって停止鍵および起動鍵が操作されないように停止鍵および起動鍵をカバーで覆い、そのカバーが開くことのないように第３の鍵でカバーを施錠したとしても、作業中の保守点検者がうっかり第３の鍵を施錠装置に差したままにしておいた場合、他の保守点検者が誤って施錠装置を解除して停止鍵および起動鍵を操作する恐れがある。また、作業中の保守点検者以外の保守点検者が第３の鍵と同一の鍵をもっている場合、その鍵によって施錠装置を解錠して停止鍵および起動鍵を操作する恐れがあった。さらに、従来の保守点検用キーロック装置では、第３の鍵を保守点検者が事務所等に忘れてきた場合、施錠装置の解錠および施錠ができないので機器の保守点検を行なうこともできなくなってしまう。また、施錠装置がシリンダーキー機構であるため、その施錠装置がかさばり、ベースおよびカバーが大きなものとなってしまっていた。
【０００４】
そこで、これらの問題点を解消するために、ベースと、このベースに開閉可能に設けたカバーと、このカバーをベースに施錠する施錠装置と、機器の操作盤に設けた停止スイッチの鍵穴に係合可能な停止鍵と、操作盤に設けた起動スイッチの鍵穴に係合可能な起動鍵と、停止鍵をベースに回動可能に保持する第１保持装置と、起動鍵を起動スイッチと停止スイッチとが並ぶ方向と同一方向に移動可能状態でベースに保持する第２保持装置とを備え、カバーで、ベースに保持された停止鍵の頭部と、ベースに保持された起動鍵の頭部と、第１保持装置および施錠装置を包囲するようにし、その施錠装置は、第１保持装置と第２保持装置の間に配設し、かつ、解錠暗証番号を自由に設定可能なリングキー機構とし、しかも、第１保持装置は、停止鍵を停止スイッチの停止位置で仮止めさせる仮止め機構を有するとともに、施錠装置によりカバーがベースに施錠された状態では、停止鍵の端部が前記カバー内壁に係止する構成としたものを開発した。
【０００５】
しかし、この保守点検キーロック装置では、停止スイッチと起動スイッチが設けられる操作盤が平面状になっている場合に使用できるが、停止スイッチと起動スイッチが設けられている操作盤が曲面状になっていると、停止スイッチの鍵穴に停止鍵を挿入した状態で、起動スイッチの鍵穴に起動鍵を挿入することができないことがある。
【０００６】
本発明の目的とするところは、操作盤が曲面状であっても使用することのできる保守点検用キーロック装置を提供することにある。
【０００７】
【課題を解決するための手段】
本発明は上記目的を達成するために、乗客コンベアの操作盤に設けられた停止スイッチの鍵穴に係合してその停止状態を保持するようにベースに支持した第一鍵と、上記操作盤に設けられた起動スイッチの鍵穴に係合して上記ベースを介して上記第一鍵の状態を保持する第二鍵と、これら両鍵を包囲するように上記ベースに開閉可能に設けたカバーと、このカバーを上記ベースに施錠する施錠装置を設けた保守点検用キーロック装置において、上記起動スイッチと上記停止スイッチとが並ぶ方向に移動可能に設けたスライダー板を介して上記第二鍵を上記ベースへ保持する第二保持装置を設け、上記スライダー板は、上記第二鍵を挿入する溝と、この溝に連設され、上記移動可能な方向に上記第二鍵を傾斜可能にさせる切欠部とを有することを特徴とする。
【０００８】
上述したように本発明の保守点検用キーロック装置は、第二鍵を挿入する起動スイッチに対応して移動可能なスライダー板を設け、このスライダー板に第二鍵を停止スイッチに接離する方向に傾斜可能にさせる切欠部を設けたため、操作盤が曲面部に設けられていても第二鍵を傾斜させて起動スイッチの鍵穴に挿入することができるようになり、操作盤が平坦面でも曲面状であっても同じ保守点検用キーロック装置を使用することができ、利便性を高めることができる。
【０００９】
【発明の実施の形態】
以下、本発明の実施の形態を図面によって説明する。
図３は本発明の一実施の形態による保守点検用キーロック装置を採用するエスカレータの下部入口部を示す斜視図で、図４はエスカレータ下部の操作盤の拡大図である。
エスカレータ２の下部入口部の曲面部２ａには、操作盤３が設けられており、この操作盤３には停止スイッチ４と起動スイッチ５が併設されている。停止スイッチ４は、その鍵穴４ａを中立位置４ｂから停止位置４ｃに移動させることによりエスカレータ２の駆動源を解放させるもので、中立位置４ｂでのみ鍵の抜き差しが可能で、停止位置４ｃでは鍵が抜けない構造となっている。また、停止スイッチ４は鍵穴４ａをフリーな状態とすると、中立位置４ｂに復帰ばねによって戻るように構成されている。一方、起動スイッチ５は、その鍵穴５ａを中立位置５ｂから上昇位置５ｃに移動させるとエスカレータ２のステップおよびハンドレールを上方に移動し、また、その鍵穴５ａを中立位置５ｂから下降位置５ｄに移動させるとエスカレータ２のステップおよびハンドレールを下方に移動するようになる。
【００１０】
図１は、上述した操作盤３に取り付けて使用する本発明の一実施の形態による保守点検用キーロック装置の分解斜視図である。
保守点検用キーロック装置１は、合成樹脂製のベース６と、このベース６の一端６ｃに小ねじ７，７ａにより開閉可能に軸支してなる合成樹脂製のカバー８と、このカバー８をベース６に施錠する施錠装置９と、エスカレータ２などの機器の操作盤３に設けられた停止スイッチ４の鍵穴４ａに係合する第一鍵１０と、操作盤３に設けられた起動スイッチ５の鍵穴５ａに係合する第二鍵１１と、第一鍵１０をベース６に回動可能に保持する第一保持装置１２と、第二鍵１１を起動スイッチ５と係止スイッチ４とが並ぶ方向と同一方向に移動可能状態でベース６に保持する第二保持装置１３とを備えている。
【００１１】
施錠装置９は、細長箱状のカバー８内側に摺動可能に軸支された軸体１４と、この軸体１４に回転可能に設けた二個の番号リング１５，１６と、軸体１４に一体的に設けた係止体１７と、カバー８の側面から突出させて軸体１４を押すための釦部１８と、この釦部１８によって軸体１４が押される方向とは反対方向に付勢するコイルばねなどのばね体１９と、ベース６にカバー８を閉じた状態で釦部１８を押すことによって軸体１４が押される方向に移動したとき係止体１７との係止が解除されると共に、釦部１８を押すのをやめてばね体１９の付勢方向に軸体１４が移動したときに係止体１７に係止する被係止体２０とを備えている。この被係止体２０はベース６にねじ込まれた小ねじであり、この被係止体２０に当接する部分の係止体１７には円弧状の爪部１７ａを有している。
【００１２】
第一保持装置１２は、十字溝２１ｃを設けた砲金製の回転体２１と、この回転体２１をベース６に保持する合成樹脂製の保持枠２２と、この保持枠２２に回転体２１を仮止めする仮止め機構２３とを備えている。ベース６の回転体取付開口６ａに回転体２１の径小部２１ａを嵌合させた後、その回転体２１の上面を覆うようにして保持枠２２を２個の小ねじ２４でベース６に固定して、図２に示すように第一保持装置１２をベース６へ固定している。仮止め機構２３は、回転体２１の外周にほぼ等間隔に設けた４つの溝２１ｂのいずれか一つに係止する係止球２３ａと、この係止球２３ａを溝２１ｂ側に付勢する小ばね２３ｂとを有し、保持枠２２の取付穴内に設置した後、保持枠２２の取付穴内から係止球２３ａおよび小ねじ２３ｂが外れないように、小ねじ２３ｃを螺合して封じている。この仮止め機構２３は、後述するスライダー板２５が摺動する方向に対してほぼ４５度交差する直線に沿う位置で、回転体２１が係止球２３ａによって仮固定される。保持枠２２は、ベース６の表面から突出させ、その突出部をカバー８の内周壁に嵌合させることによりインローとしての役目も果たす構成にしてある。
【００１３】
第二保持装置１３は、十字溝２５ａを形成した砲金製の摺動体であるスライダー板２５と、このスライダー板２５をベース６に摺動可能に保持する合成樹脂製のスライダー板取付枠２６とを有している。スライダー板取付枠２６はベース６の表面より突出させ、その突出部をカバー８の内周壁に嵌合させることによってインローとしての役目も果たし、４つの小ねじ２７によってベース６に固定される。ベース６に形成した細長開口６ｂにスライダー板２５の段落２５ｄを嵌合させた後、そのスライダー板２５および細長開口６ｂの上方からスライダー板取付枠２６をベース６に固定すれば、図２に示すように第二保持装置１３をベース６へ取り付けることができ、ベース６とスライダー板取付枠２６との間にはスライダー板２５が円滑に移動できる移動溝が形成されることになる。
【００１４】
スライダー板２５には、図５の斜視図に示すように切欠部２５ｂ，２５ｃが形成されており、この切欠部２５ｂ，２５ｃは図６に示すように第二鍵１１をスライダー板２５のスライド方向に傾くことを可能にするためのものであり、第二鍵１１の傾き角度θが最小約５度となるように設定されている。また、スライダー板２５の十字溝２５ａの溝の一つは、スライダー板２５がベース６上を摺動する方向と平行となるように形成されており、この溝に、図１に示すように切欠部２５ｂ，２５ｃを連設させてある。
【００１５】
第一鍵１０と第二鍵１１は金属製で同一形状にしてある。回転体２１に挿入した第一鍵１０の頭部に対応するカバー８の内底には、カバー８が閉じた状態、すなわち、カバー８の内周壁が保持枠２２およびスライダー板取付枠２６のインロー部分に嵌合した状態のとき、回転体２１の十字溝２１ｃに嵌合した第一鍵１０の上端部が嵌合する十字状の凹部８ａが形成されている。
【００１６】
施錠装置９の番号リング１５，１６の外周表面には、図１に示すように０〜９の番号１５ａ，１６ａがそれぞれ等間隔に付してあり、その番号リング１５，１６の内周には、固定リング２８，２９がそれぞれ嵌合されている。この固定リング２８，２９の内周にはそれぞれストッパー溝２８ａ，２９ａが形成されており、その中心部に挿入される軸体１４の外周にはストッパー溝２８ａ，２９ａに嵌合するストッパー片１４ａが一列に複数個設けられている。また固定リング２８，２９の外周には、等間隔に１０個の凸部２８ｂ，２９ｂがそれぞれ形成されており、番号リング１５，１６の内周に等間隔で設けた１０個の凹部１５ｂ，１６ｂとそれぞれ嵌合するようになっている。
【００１７】
施錠装置９の組み立ては、カバー８の側面に設けた施錠装置取付穴８ｂに軸体１４を挿入し、その挿入した状態の軸体１４のストッパー片１４ａにストッパー溝２８ａ，２９ａを合わせながら、あらかじめ外周に番号リング１５，１６を装着した固定リング２８，２９をそれぞれ挿入し、その後、軸体１４の径小部１４ｂに係止体１７とばね体１９を挿入し、その径小部１４ｂを小ねじ３０でカバー８の側面に固定して、図２に示すように施錠装置９のカバー８側での組立作業を完了する。このように軸体１４がカバー８に固定され、しかもベース６にカバー８が閉じられた状態で、図１に示したカバー８の上面８ｃに設けた開口８ｄから番号リング１５，１６の外周の一部が突出するようになっており、この開口８ｄから突出している番号リング１５，１６を保持点検者が指先でそれぞれ回転させて暗証番号にセットすると、ストッパー溝２８ａ，２９ａとストッパー片１４ａの位置が一致するために、釦部１８を押すと軸体１４がばね体１９の付勢に逆らって移動させられ、係止体１７が被係止体２０から離れるので、カバー８をベース６から開くことができるようになる。釦部１８を押すのを止めると、ばね体１９によって軸体１４が元の状態に戻り、再び係止体１７が被係止体２０に係合し、カバー８をベース６から開くことができなくなる。
【００１８】
また、番号リング１５，１６の外周には、０から９の番号１５ａ，１６ａの各々の間に凹部１５ｃ，１６ｃがそれぞれ形成されており、この凹部１５ｃ，１６ｃに嵌合するりん青銅板製のフリクションばね体３１が、カバー８の内底に二個の小ねじ３２で固定されている。また、カバー８の内側部分で、軸体１４の径小部１４ｂをカバー８に固定する小ねじ３０が取り付けられる部分には、肉厚部８ｅが形成されている。さらに、カバー８内には、スライダー板２５およびスライダー板取付枠２６に対向する位置で、番号リング１５，１６とカバー８の端部６ｃとの間の部分に、第一鍵１０および第二鍵１１を収納する収納空間８ｆも形成されている。
【００１９】
このような保守点検用キーロック装置１は、施錠装置９を第一保持装置１２と第二保持装置１３の間に配設すると共に、解錠暗証番号を自由に設定可能なリングキー機構とし、しかも、第一保持装置１２に第一鍵１０を停止スイッチ４の停止位置で仮止めする仮止め機構２３を設けるようにした結果、全体寸法を、縦８ｍｍ、横２０ｍｍ、幅１５ｍｍとすることができ、従来に比べて約１／９の大きさとなり、大幅に小型化することができると共に、重量も５０ｇとなり、従来に比べて１／５となって軽量化することができた。そのため、この保守点検用キーロック装置１を保守点検者が上着のポケットに入れて簡単に持ち歩くことができるとともに、操作盤３への装着作業を簡単に行うことができ、利便性を高めることができる。
【００２０】
この保守点検用キーロック装置１を使用するときは、回転体２１の十字溝２１ｃに嵌合した第一鍵１０を、エスカレータの曲面部２ａに設けられた停止スイッチ４の鍵穴４ａに挿入した後、その第一鍵１０を停止スイッチ４の停止位置４ｃまで回転させた状態にする。次いで、スライダー板２５を起動スイッチ５の鍵穴５ａ上に位置するようにスライダー板取付枠２６に沿って移動させる。この状態で、スライダー板２５の十字溝２５ａに鍵穴５ａと対応するように第二鍵１１を挿入する。このとき、図３に示したエスカレータのように操作盤３が下部入口曲面部２ａに設けられている場合、それが平面に設けられている場合とは異なり、第二鍵１１をベース６に対して垂直に挿入することができないので、スライダー板２５の位置を微調整しながら第二鍵１１を切欠部２５ｂ，２５ｃの部分で図６に示すように傾けて挿入する。すると、図７に示すようにエスカレータの曲面部２ａに設けた起動スイッチ５の鍵穴５ａに第二鍵１１を容易に挿入することができる。停止スイッチ４の鍵穴４ａに挿入して停止位置４ｃまで回転した第一鍵１０には、復帰ばねによって中立位置４ｂへ戻すように力が作用するが、この回転は起動スイッチ５の鍵穴５ａに挿入した第二鍵１１によって阻止される。また、第一鍵１０を挿入する第一保持装置１２に仮止め機構２３を構成しているため、第一鍵１０だけを中立位置４ｂから停止位置４ｃに回転すれば良く、第一保持装置１２に仮止め機構２３を設けない場合のように、第一鍵１０を挿入した後、ベース６およびカバー８の全体を回転させて第一鍵１０を中立位置４ｂから停止位置４ｃに回転させる必要がなく、操作盤３の周囲構造に影響されることなく、保守点検用キーロック装置１を操作盤３に装着することができる。
【００２１】
しかし、このままの状態では機器を保守点検する保守点検者以外の者が、第二鍵１１を抜き取ることができるので、カバー８をベース６側に押し付け、係止体１７を被係止体２０に係止させると、カバー８がベース６に施錠される。こうして停止スイッチ４の鍵穴４ａに挿入した第一鍵１０や起動スイッチ５の鍵穴５ａに挿入した第二鍵１１をカバー８で覆うことができ、しかも、施錠装置９が設けられているため、釦部１８を押しても被係止体２０から係止体１７が外れずにカバー８が開かないので、機器を保守点検する保守点検者以外の者が停止スイッチ４や起動スイッチ５を操作することを確実に阻止できる。また、施錠装置９としてリングキー機構を採用したため、保守点検者が所持する鍵の数を減らすと共に、番号リング１５，１６を回転させて解錠暗証番号を任意に設定できるので、機器を保守点検する保守点検者以外の者が停止スイッチ４や起動スイッチ５を操作することを確実に阻止できる。
【００２２】
保守点検作業後、保守点検者が操作盤３から保守点検用キーロック装置１を取り外すには、番号リング１５，１６を回転させて解錠暗証番号に合わせて、ストッパー溝２８ａ，２９ａ内にストッパー片１４ａを嵌合可能な状態とすると、釦部１８を押したときに軸体１４が移動して被係止体２０から係止体１７が外れるので、カバー８を開けることができる。カバー８が開いたならば、第一鍵１０を回転させて停止スイッチ４の中立位置４ａに戻せば、第一鍵１０を停止スイッチ４から抜き取ることができるので、保守点検用キーロック装置１を操作盤３から取り外すことができる。
【００２３】
また、保守点検用キーロック装置１を平坦面に設けられた操作盤３に用いる場合には、停止スイッチ４の鍵穴に第一鍵１０を挿入すると共に、起動スイッチ５の鍵穴に第二鍵１１を傾けることなく垂直に挿入してカバー８をベース６に施錠すれば、曲面部２ａに設けた操作盤３に保守点検用キーロック装置１を用いる場合と同様の手順で使用することができる。このとき、停止スイッチ４の鍵穴４ａおよび起動スイッチ５の鍵穴５ａの向きが異なっていても、回転体２１およびスライダー板２５にそれぞれ十字溝２１ｃ，２５ａを形成しているので、第一鍵１０および第二鍵１１の挿入向きを容易に変えることができる。また、スライダー板２５を設けているため、停止スイッチ４の鍵穴４ａおよび起動スイッチ５の鍵穴５ａ間の距離が異なる場合でも、スライダー板２５を移動させて容易に対応することができる。こうして操作盤３が平坦面でも曲面状であっても同じ保守点検用キーロック装置１を使用することができる。
【００２４】
尚、上述の実施の形態では、様々なタイプの操作盤３に適用できるようにするために、回転体２１およびスライダー板２５に十字状の溝２１ｃ，２５ａを形成したり、第一鍵１０を挿入する第一保持装置１２に仮止め機構２３を設けて構成したが、対象毎に使い分けるようにするなら、回転体２１およびスライダー板２５に一方向の溝を形成したり、仮止め機構２３を省略して回転止めした第一保持装置１２としても良い。
【００２５】
【発明の効果】
以上説明したように本発明による保守点検用キーロック装置は、第二鍵を挿入する起動スイッチに対応して停止スイッチに接離する方向に移動可能なスライダー板を設け、このスライダー板に第二鍵を停止スイッチに接離する方向に傾斜可能にさせる切欠部を設けたため、操作盤が曲面部に設けられていても第二鍵を傾斜させて起動スイッチの鍵穴に挿入することができ、平坦面でも曲面状であっても同じ保守点検用キーロック装置を使用することができ、利便性を高めることができる。
【図面の簡単な説明】
【図１】本発明の一実施の形態による保守点検用キーロック装置の分解斜視図である。
【図２】図１に示した保守点検用キーロック装置の組立状態を示す斜視図である。
【図３】エスカレータの下部入口部を示す斜視図である。
【図４】図３に示したエスカレータ下部の操作盤を拡大して示す正面図である。
【図５】図１に示した保守点検用キーロック装置のスライダー板を示す斜視図である。
【図６】図５に示したスライダー板に第二鍵を取り付けた状態を示す断面図である。
【図７】図１に示した保守点検用キーロック装置の使用状態を示す側面図である。
【符号の説明】
４  停止スイッチ
４ａ，５ａ  鍵穴
５  起動スイッチ
６  ベース
８  カバー
９  施錠装置
１０  第一鍵
１１  第二鍵
１２  第一保持装置
１３  第二保持装置
２１ｃ  十字溝
２５  スライダー板
２５ａ  十字溝
２５ｂ，２５ｃ  切欠部
【図１】
0003909121.tif 000002
【図２】
0003909121.tif 000003
【図３】
0003909121.tif 000004
【図４】
0003909121.tif 000005
【図５】
0003909121.tif 000006
【図６】
0003909121.tif 000007
【図７】
0003909121.tif 000008